【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
複数の画像データを格納可能な第１の画像ファイル内の当該複数の画像データの中から、少なくとも一つの画像データに相当する画像を印刷対象画像として設定する設定手段と、
前記設定手段で設定した前記各印刷対象画像に対応する第２の画像ファイルを生成する画像ファイル生成手段とを備えることを特徴とする電子機器。
【請求項２】
請求項１に記載の電子機器において、
前記画像ファイル生成手段で生成した前記第２の画像ファイルを揮発性メモリに記録する画像記録手段をさらに備えることを特徴とする電子機器。
【請求項３】
請求項１に記載の電子機器において、
前記画像ファイル生成手段で生成した前記第２の画像ファイルを不揮発性メモリに記録する画像記録手段をさらに備えることを特徴とする電子機器。
【請求項４】
請求項３に記載の電子機器において、
前記不揮発性メモリは、内蔵メモリであることを特徴とする電子機器。
【請求項５】
請求項３に記載の電子機器において、
前記不揮発性メモリは、取り外し可能であることを特徴とする電子機器。
【請求項６】
請求項１に記載の電子機器において、
前記画像ファイル生成手段で生成した前記第２の画像ファイルをメモリカードに記録する画像記録手段をさらに備えることを特徴とする電子機器。
【請求項７】
請求項６に記載の電子機器において、
前記設定手段で設定した前記印刷対象画像データに対応する画像を印刷するための印刷指示情報を生成して前記メモリカードに記録する印刷情報記録手段をさらに備えることを特徴とする電子機器。
【請求項８】
請求項１〜６のいずれか一項に記載の電子機器において、
前記画像ファイル生成手段で生成した前記第２の画像ファイルを印刷装置に送信する送信手段をさらに備えることを特徴とする電子機器。
【請求項９】
請求項１〜８のいずれか一項に記載の電子機器において、
前記画像ファイル生成手段によって生成された前記第２の画像ファイルに含まれる画像データと、前記印刷対象画像データが含まれていた前記第１の画像ファイルとの関連付けを行う関連付け手段をさらに備えることを特徴とする電子機器。
【請求項１０】
請求項９に記載の電子機器において、
前記関連付け手段は、前記第１の画像ファイルのファイル名の少なくとも一部を前記第２画像ファイルのファイル名の少なくとも一部とすることによって関連付けを行うことを特徴とする電子機器。
【請求項１１】
請求項９に記載の電子機器において、
前記関連付け手段は、前記第１の画像ファイルの付属情報を第２の画像ファイルに記録することによって関連付けを行うことを特徴とする電子機器。
【請求項１２】
請求項９に記載の電子機器において、
前記関連付け手段は、前記第１の画像ファイル内の前記印刷対象画像データの画像情報を第２の画像ファイルに記録することによって関連付けを行うことを特徴とする電子機器。
【請求項１３】
請求項１〜１２のいずれか一項に記載の電子機器において、
画像を一覧表示する表示手段をさらに備え、
前記表示手段は、前記一覧表示する際に、前記第１の画像ファイルに含まれる画像データに相当する画像と前記第２画像ファイルに含まれる画像データに相当する画像とを判別できるように表示することを特徴とする電子機器。
【請求項１４】
請求項１〜１２のいずれか一項に記載の電子機器において、
画像ファイルに相当する画像を一覧表示する表示手段をさらに備え、
前記表示手段は、前記一覧表示した画像ファイルに相当する画像の中から前記第１の画像ファイルの画像がユーザによって選択された場合には、前記第１の画像ファイル内に含まれる複数の画像データを一覧表示することを特徴とする電子機器。
【請求項１５】
請求項１４に記載の電子機器において、
前記設定手段は、前記第１の画像ファイル内に含まれる複数の画像データに対応する画像を前記表示手段に一覧表示するに当たって、その中に印刷対象画像データに設定済みの画像データが含まれている場合には、その画像データが既に印刷対象画像データに設定されていることを示す情報をその画像データに対応する画像に付加して表示することを特徴とする電子機器。
【請求項１６】
複数の画像データを格納可能な第１の画像ファイル内の当該複数の画像データの中から、少なくとも一つの画像データに相当する画像を印刷対象画像として設定する設定手段と、
前記設定手段で設定した前記各印刷対象画像に対応する第２の画像ファイルを生成する画像ファイル生成手段とを備えることを特徴とするカメラ。
【請求項１７】
請求項１６に記載のカメラにおいて、
前記画像ファイル生成手段で生成した前記第２の画像ファイルを揮発性メモリに記録する画像記録手段をさらに備えることを特徴とするカメラ。
【請求項１８】
請求項１６に記載のカメラにおいて、
前記画像ファイル生成手段で生成した前記第２の画像ファイルを不揮発性メモリに記録する画像記録手段をさらに備えることを特徴とするカメラ。
【請求項１９】
請求項１８に記載のカメラにおいて、
前記不揮発性メモリは、内蔵メモリであることを特徴とするカメラ。
【請求項２０】
請求項１８に記載のカメラにおいて、
前記不揮発性メモリは、取り外し可能であることを特徴とするカメラ。
【請求項２１】
請求項１６に記載のカメラにおいて、
前記画像ファイル生成手段で生成した前記第２の画像ファイルをメモリカードに記録する画像記録手段をさらに備えることを特徴とするカメラ。
【請求項２２】
請求項２１に記載のカメラにおいて、
前記設定手段で設定した前記印刷対象画像データに対応する画像を印刷するための印刷指示情報を生成して前記メモリカードに記録する印刷情報記録手段をさらに備えることを特徴とするカメラ。
【請求項２３】
請求項１６〜２１のいずれか一項に記載のカメラにおいて、
前記画像ファイル生成手段で生成した前記第２の画像ファイルを印刷装置に送信する送信手段をさらに備えることを特徴とするカメラ。
【請求項２４】
請求項１６〜２３のいずれか一項に記載のカメラにおいて、
前記画像ファイル生成手段によって生成された前記第２の画像ファイルに含まれる画像データと、前記印刷対象画像データが含まれていた前記第１の画像ファイルとの関連付けを行う関連付け手段をさらに備えることを特徴とするカメラ。
【請求項２５】
請求項２４に記載のカメラにおいて、
前記関連付け手段は、前記第１の画像ファイルのファイル名の少なくとも一部を前記第２画像ファイルのファイル名の少なくとも一部とすることによって関連付けを行うことを特徴とするカメラ。
【請求項２６】
請求項２４に記載のカメラにおいて、
前記関連付け手段は、前記第１の画像ファイルの付属情報を第２の画像ファイルに記録することによって関連付けを行うことを特徴とするカメラ。
【請求項２７】
請求項２４に記載のカメラにおいて、
前記関連付け手段は、前記第１の画像ファイル内の前記印刷対象画像データの画像情報を第２の画像ファイルに記録することによって関連付けを行うことを特徴とするカメラ。
【請求項２８】
請求項１６〜２７のいずれか一項に記載のカメラにおいて、
画像を一覧表示する表示手段をさらに備え、
前記表示手段は、前記一覧表示する際に、前記第１の画像ファイルに含まれる画像データに相当する画像と前記第２画像ファイルに含まれる画像データに相当する画像とを判別できるように表示することを特徴とするカメラ。
【請求項２９】
請求項１６〜２７のいずれか一項に記載のカメラにおいて、
画像ファイルに相当する画像を一覧表示する表示手段をさらに備え、
前記表示手段は、前記一覧表示した画像ファイルに相当する画像の中から前記第１の画像ファイルの画像がユーザによって選択された場合には、前記第１の画像ファイル内に含まれる複数の画像データを一覧表示することを特徴とするカメラ。
【請求項３０】
請求項２９に記載のカメラにおいて、
前記設定手段は、前記第１の画像ファイル内に含まれる複数の画像データに対応する画像を前記表示手段に一覧表示するに当たって、その中に印刷対象画像データに設定済みの画像データが含まれている場合には、その画像データが既に印刷対象画像データに設定されていることを示す情報をその画像データに対応する画像に付加して表示することを特徴とするカメラ。
【手続補正２】
【補正対象書類名】明細書
【補正対象項目名】０００５
【補正方法】変更
【補正の内容】
【０００５】
本発明の請求項１の発明による電子機器は、複数の画像データを格納可能な第１の画像ファイル内の当該複数の画像データの中から、少なくとも一つの画像データに相当する画像を印刷対象画像として設定する設定手段と、前記設定手段で設定した前記各印刷対象画像に対応する第２の画像ファイルを生成する画像ファイル生成手段とを備えることを特徴とする。
本発明の請求項１６の発明によるカメラは、複数の画像データを格納可能な第１の画像ファイル内の当該複数の画像データの中から、少なくとも一つの画像データに相当する画像を印刷対象画像として設定する設定手段と、前記設定手段で設定した前記各印刷対象画像に対応する第２の画像ファイルを生成する画像ファイル生成手段とを備えることを特徴とする。